(57)【要約】      （修正有）【課題】姿勢に応じて、ステレオ録音とモノラル録音を切り替えると共に、よりステレオ効果が高い録音を可能とするようにステレオマイクを配置した録音装置を提供する。【解決手段】ステレオで音声を入力する２つの第１の音声取得手段と、モノラルで音声を入力する第２の音声取得手段と、録音装置を所定の姿勢で保持するための支持手段を有し、前記第１及び第２の音声取得手段は異なる面に配置され、前記２つの第１の音声取得手段は本体長辺の両端に配置されていることを特徴とする略直方体の録音装置において、前記支持手段の開閉状態を検知する開閉検知手段と、前記録音装置本体の姿勢を検知する姿勢検知手段とを有し、前記開閉検知手段の検知結果及び前記姿勢検知手段の検知結果の基づきステレオ録音とモノラル録音を切り替えることを特徴とする録音装置を提供する。【選択図】図１
2010098610.tif 000002
【特許請求の範囲】
【請求項１】
長手方向の両端近傍に夫々配置されたステレオ音声を取得するための一対の第１の音声取得手段と、
モノラル音声を取得するための第２の音声取得手段と、
装置本体を所定の姿勢で保持する開閉自在の支持手段と、
前記支持手段の開閉状態を検知する開閉検知手段と、
装置本体の姿勢を検知する姿勢検知手段と、
装置本体が載置面に載置された場合に、前記開閉検知手段により前記支持手段が開状態であると検知され、且つ、前記姿勢検知手段により装置本体の長手方向が載置面に対して略水平となる姿勢で保持されていると検知された場合に、前記第２の音声取得手段から前記一対の第１の音声取得手段に切り替えて音声を取得することを特徴とする録音装置。
【請求項２】
直方体形状の録音装置であって、
装置本体に関する情報を表示する表示部が、装置本体の外面のうち最も面積の大きい第１の面に配置され、
前記一対の第１の音声取得手段が、装置本体の外面のうち２番目に面積の大きい第２の面の長手方向の両端付近にそれぞれ配置され、
前記第２の音声取得手段は装置本体の外面のうち３番目に面積の大きい第３の面に配置され、
前記支持手段が前記第１の面と対向する面に配置されたことを特徴とする請求項１記載の録音装置。
【請求項３】
装置本体の姿勢に応じて前記表示部に表示する前記情報の表示向きを可変とする可変表示手段を備えたことを特徴とする請求項２記載の録音装置。
【発明の詳細な説明】
【技術分野】
【０００１】
本発明は、音声を録音する録音装置に関し、特に装置本体の状態に応じて音声取得手段を切り換えることが可能な録音装置に関する。
【背景技術】
【０００２】
近年、ステレオ録音とモノラル録音の切り換えが可能なＩＣレコーダーや多機能電子機器などが数多く見られるようになった。また、ステレオ録音とモノラル録音を手動で切り換える煩わしさを解消するために、本体の姿勢や向きに応じてステレオ録音とモノラル録音を切り換える機能を備えた録音装置も見られるようになってきた。しかし、例えば、使用者が録音方式の変更を所望しないにもかかわらず、使用者自身の不注意や、あるいは、使用者が意図せぬ事象等により録音装置の姿勢や向きの変化が起こってしまい、録音方式の切り換えが生じてしまうという問題がある。
【０００３】
尚、特許文献１（特開2005-176063号公報）には姿勢に応じてステレオ録音に用いるマイクを切り換える撮像装置について開示されている。係る発明によると、モノラルマイクと２つのステレオマイクが撮像装置の同一面に配置され、且つ、２つのステレオマイクを結ぶ直線とモノラルマイクと２つのステレオマイクを結ぶ直線のどちらか一方が略直交するように配置され、姿勢検出手段を備えることで、前記姿勢検出手段の検出結果に応じてステレオ録音に用いるマイクを切り換えるというものである。
【特許文献１】特開2005-176063号公報
【発明の開示】
【発明が解決しようとする課題】
【０００４】
しかしながら、係る発明をもってしても上記問題を解決することはできない。本発明は上記課題を鑑みてなされたものであり、ユーザが意図しない録音方式の切り換えの発生を軽減することが可能な録音装置を提供することを目的とする。
【課題を解決するための手段】
【０００５】
本発明に係る録音装置は、ステレオ音声を取得するための一対の第１の音声取手段と、モノラル音声を取得するための第２の音声取得手段と、装置本体を所定の姿勢で保持する開閉自在の支持手段と、前記支持手段の開閉状態を検知する開閉検知手段と、前記録音装置本体の姿勢を検知する姿勢検知手段とを備え、前記録音装置が載置面に載置された場合に、前記開閉検知手段により支持手段が開状態であると検知され、且つ、前記姿勢検知手段により前記録音装置本体の長手方向が載置面に対して略水平になる姿勢で載置されていると検知した場合に、前記第２の取得手段から前記一対の第１の音声取得手段に切り換えて音声を取得することを特徴とする。前記録音装置は、装置本体の姿勢に応じて前記表示部に表示する装置本体に関する情報の表示向きを可変とする可変表示手段を更に有してもよい。
【発明の効果】
【０００６】
本発明は上記課題を鑑みてなされたものであり、ユーザが意図しない録音方式の切り換えの発生を軽減することが可能な録音装置を提供することができる。
【発明を実施するための最良の形態】
【０００７】
以下、本発明の実施形態について図面を参照して説明する。尚、以下ではステレオで音声を取得するための第１の音声取得手段を２個の「ステレオマイク」、モノラルで音声を取得するための第２の音声取得手段を「モノラルマイク」、録音装置本体を所定の姿勢で保持する支持手段を「スタンド」と表記する。
【０００８】
（録音再生装置１の構成）
図１は、録音再生装置１の概観斜視図である。図１(a)は録音再生装置１の正面図を示しており、図１(b)は録音再生装置１の背面図を示している。録音再生装置１は、ステレオマイク２ａ、２ｂ及びモノラルマイク４、録音方式や録音経過時間などの情報を表示する表示部６、音声を出力するスピーカー８、再生ボタン１０、録音ボタン１２、停止ボタン１４、録音再生装置１を所定の姿勢で保持するためのスタンド１６を備えている。ステレオマイク２ａ、２ｂとモノラルマイク４のマイク特性は同じであってもよい。
【０００９】
録音再生装置１の外面のうち最も面積の大きい面には表示部６及びスピーカー８、再生ボタン１０、録音ボタン１２、停止ボタン１４が配置される。表示部６を最も面積の大きい面に配置することで、表示部６の大きさを他の面に配置する場合より大きくできるため見易くなる。また、録音再生装置１の外面のうち２番目に面積の大きい面の長手方向の両端付近には、ステレオマイク２ａ、２ｂが夫々配置される。このように配置することで、よりステレオ効果の高い音声が録音できる。また、録音再生装置１の外面のうち３番目に面積の大きい面にモノラルマイク４が配置される。このように配置することで、使用者が録音再生装置１をマイクのように握り、モノラルマイク４を音源に向けやすくなる。また、表示部６が配置される面と対向する面にはスタンド１６及びスタンド１６を録音装置本体と連接するヒンジ部１８が配置される。
【００１０】
図２は、スタンド１６を開帳させたときのイメージ図である。スタンド１６はヒンジ部１８を軸に開閉自在であり、スタンド１６の開帳量を調節することで、録音再生装置１を所望の姿勢で保持することが可能である。開帳可能角度は略９０度が望ましいが、それ以上に開帳する仕様であってもよい。また、９０度以上は開帳しないようにヒンジ部１８にラッチを構成してもよい。スタンド１６は録音再生装置１でステレオ録音をする場合に、装置本体の姿勢を載置面に対して横長の状態で保持することを目的とするものである。ここでいう「横長」とは、ステレオマイク２ａ、２ｂを結ぶ直線が載置面に対して略水平となる状態という趣旨である。前記目的を果たすものであれば、スタンド１６は本実施例以外の如何なる配置や形状でも構わない。
【００１１】
図３は、録音再生装置１の構成の概略を示すブロック図である。録音再生装置１は図１で示した部位に加えて、録音再生装置１の姿勢を検知する姿勢検知部２０及びスタンド１６の開閉状態を検知する開閉検知部２２、ステレオマイク２ａ、２ｂ又はモノラルマイク４が集音したアナログ音声信号をデジタル音声信号に変換するＡ/Ｄ変換（Analog/Digital conversion）部２４、Ａ/Ｄ変換部２４でデジタル変換された音声信号をＷＡＶ（WAVE）形式やＭＰ３（MPEG Audio Layer-3）形式など所望のファイルフォーマットに圧縮変換する圧縮部２６と圧縮処理を施した音声信号を記録する記録媒体２８、記録媒体２８に記録されているデジタル音声信号をアナログに変換するＤ/Ａ変換（Digital/Analog conversion）部３０、ステレオ録音とモノラル録音の切り換えや表示部６の表示向きの変更などの処理を行う処理部３２を備えている。記録媒体２８は、例えば、内蔵メモリ又は着脱可能なメモリカードである。
【００１２】
録音再生装置１は録音装置本体の姿勢を検知する姿勢検知部２０を備えている。これにより、録音再生装置１は、装置本体がどのような姿勢であるかを判別できる。姿勢検知は、例えば、次のようにして実現される。即ち、録音再生装置１内に円弧状に曲折されて形成された密封状態のガラス管を配置し、前記ガラス管内を移動する水銀玉の位置から、録音装置の姿勢を判断する。もしくは、録音再生装置１内に加速度センサを配置し加速度変位を検出することで録音再生装置１の姿勢を検知する手法でもよい。
【００１３】
録音再生装置１は、スタンド１６の開閉を検知する開閉検知部２２を備えている。これにより、スタンド１６が開いている状態であるのか、閉じている状態であるのかを判断できる。開閉検知は、例えば次のようにして実現される。即ち、ヒンジ部１８内に回転変移を検出するロータリ・エンコーダ配置し、スタンド１６が閉じた状態において前記ロータリ・エンコーダが出力する角度値を基準値とし、出力される角度値と基準値の差が所定の閾値以上である場合にスタンド１６が開いている状態であると検知し、閾値以下である場合はスタンド１６が閉じている状態であると検知する。
【００１４】
録音再生装置１は、装置本体の姿勢や状態に応じて自動的にステレオ録音とモノラル録音を切り換える録音方式切り換え手段を備えている。これにより、録音の際に録音方式の確認や切り換えを手動で逐次行わなくても、用途やシーンに合わせた録音ができる。録音方式切り替え手段は、例えば次のように実現される。即ち、前記姿勢検知部２０が、録音再生装置１が横長の姿勢で床面に載置されていると検知し、且つ、前記開閉検知部２２が、スタンド１６が開いている状態であると検知した場合、処理部３２が録音方式をステレオ録音に切り換え、それ以外の場合はモノラル録音に切り換える。ここでいう「横長の姿勢」とは、即ち、ステレオマイク２ａ、２ｂの配置面が上面となり、且つ、ステレオマイク２ａ、２ｂの中心間を結ぶ直線が載置面に対して略水平となる姿勢という趣旨である。スタンドの状態を録音方式の切り換えに用いることで、録音再生装置１はステレオ録音時にスタンド１６が開かれ装置本体を横長姿勢で保持した状態で置かれることになり、使用者が意図しない録音方式の切り換えが生じるのを軽減することができる。
【００１５】
録音方式の切り換えは、手動で切り換えることも可能である。また、録音方式切り換え手段をＯＮ/ＯＦＦする手段で構成してもよい。
【００１６】
録音再生装置１は、装置本体の姿勢に応じて表示部６に表示される情報の表示向きを切り替える可変表示手段を備えている。図４(a)は、録音再生装置１を床面に縦に設置した際の表示部の表示向きを示した図で、図４(b)は録音再生装置１を床面に横に設置した際の表示向きを示した図である。表示部６には録音状態時は録音方式や録音時間など録音装置に関する情報が、非録音状態時は日付、時刻、曜日、電池残量などの情報が表示される。図４に示すように表示部６に表示される情報の表示向きは、録音再生装置１の姿勢に応じて可変する。可変表示手段は、前記姿勢検知手段を用いることで実現できる。
【００１７】
（録音再生装置１の録音動作）
図３及び図５を参照して録音再生操作１の録音動作について説明する。図５は録音再生装置１の録音動作を示すフローチャートである。
【００１８】
ステップＳ１０１において、録音再生装置１の電源がオンされると、録音可能状態となり、ステップ１０３に進む。
【００１９】
ステップＳ１０３では、姿勢検知部２０によって姿勢の検知が行われる。姿勢検知部２０はその検知結果を処理部３２に出力する。
【００２０】
ステップＳ１０５では、表示部６に電池残量や残り録音可能時間などの情報を表示する。その際、ステップＳ１０３において姿勢検知部２０から出力された検知結果に基づき処理部３２が姿勢に応じた向きで表示するように処理を施す。
【００２１】
ステップＳ１０７では、録音が開始されたか否かを判断する。録音ボタン１２を操作すると録音開始信号が処理部３２に出力され、処理部３２はステレオマイク２ａ、２ｂ又はモノラルマイク４に録音開始の指示を出力する。録音を開始する場合はステップＳ１０９に進み、それ以外の場合はステップＳ１０３に戻る。
【００２２】
ステップＳ１０９では、姿勢検知部２０によって姿勢の検知が行われ、その検知結果を処理部３２に出力する。
【００２３】
ステップＳ１１１では、ステップＳ１０９において姿勢検知部２０から処理部３２に出力された検知結果に基づき、本体の姿勢が横長の姿勢になっているか否かを判断する。その結果、姿勢が横長の姿勢である場合はステップＳ１１３に進み、それ以外の場合はステップＳ１１７に進む。
【００２４】
ステップＳ１１３では、開閉検知部２０によってスタンド１６が開状態であるか否かを判断し、その判断結果を処理部３２に出力する。スタンド１６が開状態であれば、ステップＳ１１５に進み、それ以外の場合はステップＳ１１７に進む。
【００２５】
ステップＳ１１５では、ステレオ録音を行う。処理部３２からステレオマイク２ａ、２ｂに録音開始の指示が出力され、ステレオマイク２ａ、２ｂによって集音されたアナログ音声信号をＡ/Ｄ変換部２４に出力し、Ａ/Ｄ変換部２４で前記アナログ音声信号をデジタル音声信号に変換する。前記デジタル音声信号は圧縮部２６に出力され、ＷＡＶ形式やＭＰ３形式など使用者が所望するファイルフォーマットに圧縮変換されて、記録媒体２６に記録され、ステップＳ１１９に進む。
【００２６】
ステップＳ１１７では、モノラル録音を行う。処理部３２からモノラルマイク４に録音開始の指示が出力され、モノラルマイク４によって集音されたアナログ音声信号をＡ/Ｄ変換部２４に出力し、Ａ/Ｄ変換部２４で前記アナログ音声信号をデジタル音声信号に変換する。前記デジタル音声信号は圧縮部２６に出力され、ＷＡＶ形式やＭＰ３形式など使用者が所望するファイルフォーマットに圧縮変換されて、記録媒体２６に記録され、ステップＳ１１９に進む。
【００２７】
ステップＳ１１９では、録音再生装置１の姿勢が変化したか否かを判断する。姿勢検知部２０が姿勢の変化を検知した場合、ステップＳ１１１に戻り、姿勢の変化を検知しない場合は、ステップＳ１２０に進む。
【００２８】
ステップＳ１２０では、開閉検知部２２によってスタンド１６が開状態であるか否かを判断し、その判断結果を処理部３２に出力する。スタンド１６が開状態であれば、現状のまま録音を継続し、それ以外の場合はステップＳ１１７に進む。
【００２９】
ステップＳ１２１では録音を終了するか否かを選択する。停止ボタン１４を操作すると処理部３２に録音停止信号が出力される。処理部３２はステレオマイク２ａ、２ｂ又はモノラルマイク４に録音停止の指示を出力する。録音を終了しない場合は、現状のまま録音を継続し、ステップＳ１１１に戻る。
【００３０】
ステップＳ１２３では、録音の終了を行う。停止ボタン１４を操作すると録音停止信号が処理部３２に出力され、処理部３２はステレオマイク２ａ、２ｂ又はモノラルマイク４に録音終了の指示を出力する。
【００３１】
（録音再生装置１の再生動作）
次に、図３及び図６を参照して、録音再生装置１の再生動作について説明する。図６は録音再生装置１の再生動作を示すフローチャートである。
【００３２】
ステップＳ２０１において、録音再生装置１の電源がオンされ、再生モードに設定されると、ステップＳ２０３に進む。
【００３３】
ステップＳ２０３では、記録媒体２８に記録されている再生可能な音声ファイル名のリストが表示部６に表示される。その際、各音声ファイルに関する情報（録音日時、ファイルサイズ、再生時間など）を併せて表示するようにしてもよい。
【００３４】
ステップＳ２０５では、再生する音声ファイルが選択される。録音再生装置１の正面には、操作キー（図示せず）が配置されており、使用者が前記操作キーを操作して再生を所望する音声ファイルを選択する。
【００３５】
ステップＳ２０７では、ステップＳ２０５で選択された音声ファイルを再生するか否か選択される。再生ボタン１０を操作すると処理部３２に再生開始信号が出力され、音声ファイルの再生を実行する。再生を実行した場合はステップＳ２０８に進み、再生を実行しない場合はステップＳ２０７を繰り返す。
【００３６】
ステップＳ２０８では、音声の再生が行われる。ステップＳ２０７で再生を選択した音声ファイルを記録媒体２８から読み出し、Ｄ/Ａ変換部３０に出力する。Ｄ/Ａ変換部３０は出力された音声ファイルをデジタル音声信号からアナログ音声信号に変換し、スピーカー８に出力する。スピーカー８はＤ/Ａ変換部３０から出力されるアナログ音声信号を出力する。
【００３７】
ステップＳ２０９では、音声ファイルの再生を終了するか否かを選択する。停止ボタン１４を操作すると処理部３２に再生停止信号が出力され、音声ファイルの再生を終了する。終了動作だけでなく、一時停止ボタンを配置し再生の中断/再開が可能なようにしてもよい。音声ファイルの再生を終了した場合は、ステップＳ２１５に進み、そうでない場合は、再生中の音声ファイルを最後まで再生してからステップＳ２１３に進む。
【００３８】
ステップＳ２１３では、再生モードを終了するか否かを選択する。再生モードを終了する場合はステップＳ２１５に進み、そうでない場合はステップＳ２０３に戻る。
【００３９】
ステップＳ２１５では、再生モードを終了する。
【００４０】
本実施例における録音再生装置は、スタンド１６の開閉状態及び本体の姿勢に応じてステレオ録音とモノラル録音を切り換える。そのためモノラル録音を行う場合には、使用者は録音再生装置１を手で握り、モノラルマイク４を音源に向けるという使い方が可能である。また、ステレオ録音を行う場合にはスタンド１６を開き、横長に置くことで、より安定した姿勢で録音することが可能である。また、２つのステレオマイクはそれぞれ本体長手方向の両端付近に夫々配置されているため、より臨場感の高い録音が可能となる。
【００４１】
また、本実施例では録音再生装置について説明したが、録音機能のみを有する装置であっても構わない。
【００４２】
以上、本発明の最良の実施形態について説明したが、本発明はこれらの実施形態に限定されず、その要旨の範囲内で種々の変更及び変形が可能である。
【図面の簡単な説明】
【００４３】
【図１】録音再生装置１の概略斜視図である。
【図２】録音再生装置１の支持手段開閉動作を示す概略図である。
【図３】図１に示す録音再生装置１の概略ブロック図である。
【図４】録音再生装置１の表示部６の可変表示を示す概略斜視図である。
【図５】録音再生装置１の録音動作を示すフローチャートである。
【図６】録音再生装置１の再生動作を示すフローチャートである。
【符号の説明】
【００４４】
１               録音装置
２ａ、２ｂ       ステレオマイク
４               モノラルマイク
６               表示部
８               スピーカー
１０             再生ボタン
１２             録音ボタン
１４             停止ボタン
１６             支持手段
１８             ヒンジ部
２０             姿勢検知部
２２             開閉検知部
２４             Ａ/Ｄ変換部
２６             圧縮部
２８             記録媒体
３０             Ｄ/Ａ変換部
３２             処理部
【図１】
2010098610.tif 000003
【図２】
2010098610.tif 000004
【図３】
2010098610.tif 000005
【図４】
2010098610.tif 000006
【図５】
2010098610.tif 000007
【図６】
2010098610.tif 000008